(57)【要約】【課題】ファクシミリ装置と情報処理装置との両装置でファクシミリデータの転送についての関連付けの設定が必要なデータ転送システムであって，設定の手間を軽減する技術を提供すること。【解決手段】データ転送システム９００では，転送先であるＰＣ１００にて，ファクシミリ装置２００とのファクシミリデータの受け渡しに関連するプログラム５４２を起動した際，ファクシミリ装置２００に対して，ＰＣ１００とファクシミリ装置２００との関連付けを設定させる設定指示を出力する。そして，ファクシミリ装置２００では，設定指示が入力されると，その設定指示に基づいて，ＰＣ１００とファクシミリ装置２００とを関連付ける関連情報を記憶させる。【選択図】            図１
2015106869.tif 000002
【特許請求の範囲】
【請求項１】
ファクシミリデータの転送についての関連付けの設定を要求する情報処理装置と，その要求を受け付けるファクシミリ装置とを備え，前記ファクシミリ装置から前記情報処理装置に対してファクシミリデータの転送を行うデータ転送システムにおいて，
前記情報処理装置は，
情報処理装置側記憶部と，
情報処理装置側制御部と，を備え，
前記ファクシミリ装置は，
ファクシミリ装置側記憶部と，
ファクシミリ装置側制御部と，を備え，
前記情報処理装置側制御部は，
前記情報処理装置側記憶部に記憶された，前記ファクシミリ装置とのファクシミリデータの受け渡しに関連するプログラムを起動した際，前記ファクシミリ装置に対して，前記情報処理装置と前記ファクシミリ装置との関連付けを設定させる設定指示を出力する出力処理を実行し，
前記ファクシミリ装置側制御部は，
前記設定指示が入力された場合，前記情報処理装置と前記ファクシミリ装置とを関連付ける関連情報を，前記ファクシミリ装置側記憶部に記憶させる記憶処理を実行することを特徴とするデータ転送システム。
【請求項２】
請求項１に記載するデータ転送システムにおいて，
前記ファクシミリ装置側制御部は，
前記設定指示に対応していない場合に，非対応である旨のコマンドを前記設定指示を入力した情報処理装置に応答する非対応処理を実行し，
前記情報処理装置側制御部は，
前記非対応である旨のコマンドを受け付けた場合に，前記設定指示に対応していない旨を報知する非対応報知処理を実行することを特徴とするデータ転送システム。
【請求項３】
請求項１または請求項２に記載するデータ転送システムにおいて，
前記情報処理装置側制御部は，
前記設定指示に対する応答がない場合に，前記設定指示の新たな送信先を入力させる送信先入力処理と，
前記送信先入力処理にて入力された送信先に前記設定指示を出力する再出力処理と，
を実行することを特徴とするデータ転送システム。
【請求項４】
請求項１から請求項３のいずれか１つに記載するデータ転送システムにおいて，
前記ファクシミリ装置側制御部は，
前記ファクシミリ装置側記憶部に関連情報が記憶されていなければ，前記記憶処理を実行して前記設定指示を入力した情報処理装置と前記ファクシミリ装置とを関連付ける関連情報を記憶し，前記ファクシミリ装置側記憶部に関連情報が記憶されていれば，前記記憶処理を実行しないことを特徴とするデータ転送システム。
【請求項５】
請求項１から請求項４のいずれか１つに記載するデータ転送システムにおいて，
前記ファクシミリ装置側記憶部は，不揮発性であることを特徴とするデータ転送システム。
【請求項６】
請求項１から請求項５のいずれか１つに記載するデータ転送システムにおいて，
前記ファクシミリ装置側制御部は，
前記設定指示が入力された際，前記記憶処理を実行する前に，前記情報処理装置と前記ファクシミリ装置との関連付けを設定するか否かの確認を要求する旨のコマンドを，前記設定指示を入力した情報処理装置に出力する確認処理を実行し，
前記情報処理装置側制御部は，
前記確認を要求する旨のコマンドを受け付けた場合に，関連付けの設定を許可するか否かの問い合わせを行う問合処理と，
前記問合処理にて関連付けの設定が許可されたことを条件として，設定変更の要求を前記ファクシミリ装置に出力する変更出力処理と，
を実行し，
前記ファクシミリ装置側制御部は，
前記記憶処理では，前記設定指示が入力された後，前記設定変更の要求を受け付けた場合に，前記情報処理装置と前記ファクシミリ装置とを関連付ける関連情報を，前記ファクシミリ装置側記憶部に記憶することを特徴とするデータ転送システム。
【請求項７】
請求項６に記載するデータ転送システムにおいて，
前記ファクシミリ装置側制御部は，
前記確認処理では，前記ファクシミリ装置側記憶部に前記設定指示を入力した情報処理装置との関連情報が記憶されているか否かを判断し，当該関連情報が記憶されている場合には，確認が不要である旨のコマンドを前記設定指示を入力した情報処理装置に出力し，当該関連情報が記憶されていない場合に，前記確認を要求する旨のコマンドを前記設定指示を入力した情報処理装置に出力し，
前記情報処理装置側制御部は，
前記変更出力処理では，前記問合処理にて関連付けの設定が許可されたことを条件として前記設定変更の要求を出力し，前記確認が不要である旨のコマンドを受け付けた場合には，前記設定変更の要求を出力しないことを特徴とするデータ転送システム。
【請求項８】
請求項１から請求項７のいずれか１つに記載するデータ転送システムにおいて，
前記ファクシミリ装置側制御部は，
前記設定指示が入力された際，前記記憶処理を実行する前に，特定の条件を満たす場合に，関連情報の記憶に失敗した旨のコマンドを，前記設定指示を入力した情報処理装置に出力し，前記特定の条件を満たさない場合に，関連情報の記憶に成功した旨のコマンドを，前記設定指示を入力した情報処理装置に出力し，
前記情報処理装置側制御部は，
前記関連情報の記憶に失敗した旨のコマンドを受け付けた場合には，関連情報の記憶に失敗した旨を報知する失敗報知処理を実行することを特徴とするデータ転送システム。
【請求項９】
請求項８に記載するデータ転送システムにおいて，
前記ファクシミリ装置側制御部は，前記特定の条件として，前記ファクシミリ装置側記憶部に前記設定指示を入力した情報処理装置以外の装置との関連情報が記憶されていること，を含むことを特徴とするデータ転送システム。
【請求項１０】
請求項８または請求項９に記載するデータ転送システムにおいて，
前記ファクシミリ装置側制御部は，前記特定の条件として，関連情報の記憶が制限されていること，を含むことを特徴とするデータ転送システム。
【請求項１１】
記憶部と，
制御部と，
を備え，
前記制御部は，
前記記憶部に記憶された，ファクシミリ装置とのファクシミリデータの受け渡しに関連するプログラムを起動した際，前記ファクシミリ装置に対して，自装置と前記ファクシミリ装置との関連付けを設定させる設定指示を出力する出力処理，
を実行することを特徴とする情報処理装置。
【請求項１２】
記憶部と，
制御部と，
を備え，
前記制御部は，
情報処理装置から前記情報処理装置と自装置との関連付けを設定させる設定指示が入力された場合，前記情報処理装置と自装置とを関連付ける関連情報を，前記記憶部に記憶させる記憶処理，
を実行することを特徴とするファクシミリ装置。
【請求項１３】
ファクシミリデータの転送についての関連付けの設定を要求する情報処理装置に，
前記情報処理装置の記憶部に記憶された，ファクシミリ装置とのファクシミリデータの受け渡しに関連するプログラムを起動した際，前記ファクシミリ装置に対して，前記情報処理装置と前記ファクシミリ装置との関連付けを設定させる設定指示を出力する出力処理，
を実行させることを特徴とするプログラム。
【請求項１４】
ファクシミリデータの転送についての関連付けの設定の要求を受け付けるファクシミリ装置に，
情報処理装置から前記情報処理装置と自装置との関連付けを設定させる設定指示が入力された場合，前記情報処理装置と前記ファクシミリ装置とを関連付ける関連情報を，前記ファクシミリ装置の記憶部に記憶させる記憶処理，
を実行させることを特徴とするプログラム。
【発明の詳細な説明】
【技術分野】
【０００１】
本発明は，データ転送システム，情報処理装置，ファクシミリ（ＦＡＸ）装置，およびプログラムに関する。より詳細には，ＦＡＸ装置から情報処理装置に対してＦＡＸデータを転送するデータ転送に関する技術である。
【背景技術】
【０００２】
従来から，ＦＡＸ装置と情報処理装置とを備えたシステムであって，ＦＡＸ装置と情報処理装置とが関連付けられており，所定の条件を満たした場合に，ＦＡＸ装置から情報処理装置に対してＦＡＸデータを転送する技術が実用化されている。
【０００３】
例えば，特許文献１には，ＦＡＸ装置とパーソナルコンピュータ（ＰＣ）とを備えるシステムであって，ＦＡＸ装置がＦＡＸデータを受信したことを契機に，あらかじめ転送先として設定されたＰＣに自動的に転送するＰＣ−ＦＡＸ受信に関する技術が開示されている。
【先行技術文献】
【特許文献】
【０００４】
【特許文献１】特開２００３−８７９５号公報
【発明の概要】
【発明が解決しようとする課題】
【０００５】
しかしながら，前記した従来の技術には，次のような問題があった。すなわち，ＦＡＸ装置から情報処理装置に対してＦＡＸデータを転送する際，あらかじめデータを送信するＦＡＸ装置とデータを受信する情報処理装置との両方で，両装置を関連付ける設定が必要となる場合がある。その場合，ユーザにとって設定の手間が多く，改善の余地がある。
【０００６】
本発明は，前記した従来の技術が有する問題点を解決するためになされたものである。すなわちその課題とするところは，ＦＡＸ装置と情報処理装置との両装置でＦＡＸデータの転送についての関連付けの設定が必要なデータ転送システムであって，設定の手間を軽減する技術を提供することにある。
【課題を解決するための手段】
【０００７】
この課題の解決を目的としてなされたデータ転送システムは，ファクシミリデータの転送についての関連付けの設定を要求する情報処理装置と，その要求を受け付けるファクシミリ装置とを備え，前記ファクシミリ装置から前記情報処理装置に対してファクシミリデータの転送を行うデータ転送システムであって，前記情報処理装置は，情報処理装置側記憶部と，情報処理装置側制御部とを備え，前記ファクシミリ装置は，ファクシミリ装置側記憶部と，ファクシミリ装置側制御部とを備え，前記情報処理装置側制御部は，前記情報処理装置側記憶部に記憶された，前記ファクシミリ装置とのファクシミリデータの受け渡しに関連するプログラムを起動した際，前記ファクシミリ装置に対して，前記情報処理装置と前記ファクシミリ装置との関連付けを設定させる設定指示を出力する出力処理を実行し，前記ファクシミリ装置側制御部は，前記設定指示が入力された場合，前記情報処理装置と前記ファクシミリ装置とを関連付ける関連情報を，前記ファクシミリ装置側記憶部に記憶させる記憶処理を実行することを特徴としている。
【０００８】
本明細書で開示されるデータ転送システムでは，情報処理装置にて，ファクシミリ装置とのファクシミリデータの受け渡しに関連するプログラムを起動した際，ファクシミリ装置に対して，情報処理装置とファクシミリ装置との関連付けを設定させる設定指示を出力する。そして，ファクシミリ装置では，設定指示が入力されると，その設定指示に基づいて，情報処理装置とファクシミリ装置とを関連付ける関連情報を記憶部に記憶させる。ファクシミリ装置が記憶する関連情報としては，例えば，転送先となる情報処理装置の宛先が該当する。
【０００９】
すなわち，データ転送システムでは，情報処理装置でのファクシミリデータの受け渡しに関連するプログラムの起動を契機として，情報処理装置からファクシミリ装置に対して両装置を関連付けるための設定指示が出力され，これに応じてファクシミリ装置にて両装置を関連付ける関連情報が記憶される。これにより，ファクシミリ装置でのユーザによる設定の手間が軽減される。
【００１０】
また，前記ファクシミリ装置側制御部は，前記設定指示に対応していない場合に，非対応である旨のコマンドを前記設定指示を入力した情報処理装置に応答する非対応処理を実行し，前記情報処理装置側制御部は，前記非対応である旨のコマンドを受け付けた場合に，前記設定指示に対応していない旨を報知する非対応報知処理を実行するとよい。この構成によれば，情報処理装置側のユーザが，ファクシミリ装置が設定指示に対して非対応であったことを把握できる。なお，報知方法は，メッセージをディスプレイに表示してもよいし，音声メッセージを再生してもよい。
【００１１】
また，前記情報処理装置側制御部は，前記設定指示に対する応答がない場合に，前記設定指示の新たな送信先を入力させる送信先入力処理と，前記送信先入力処理にて入力された送信先に前記設定指示を出力する再出力処理とを実行するとよい。ファクシミリ装置について，電源が入っていない，ＩＰアドレスが変更された等，設定指示に対して応答がない場合がある。この構成によれば，設定指示に対して応答がなかったとしても，関連付ける相手を選び直すことができるため，利便性が向上する。
【００１２】
また，前記ファクシミリ装置側制御部は，前記ファクシミリ装置側記憶部に関連情報が記憶されていなければ，前記記憶処理を実行して前記設定指示を入力した情報処理装置と前記ファクシミリ装置とを関連付ける関連情報を記憶し，前記ファクシミリ装置側記憶部に関連情報が記憶されていれば，前記記憶処理を実行しないとよい。ファクシミリ装置で既に関連情報が記憶されていた場合，設定指示を入力した情報処理装置との新たな関連情報が加わることは，先に関連付けられていた装置のユーザにとって好ましくない。そのため，ファクシミリ装置に既存の関連情報がある場合には，新たな関連情報を記憶しない方が好ましい。
【００１３】
また，前記ファクシミリ装置側記憶部は，不揮発性であるとよい。関連情報を不揮発性の記憶部に記憶することで，ファクシミリ装置の電源をオンする度に設定をし直す手間を省くことができる。
【００１４】
また，前記ファクシミリ装置側制御部は，前記設定指示が入力された際，前記記憶処理を実行する前に，前記情報処理装置と前記ファクシミリ装置との関連付けを設定するか否かの確認を要求する旨のコマンドを，前記設定指示を入力した情報処理装置に出力する確認処理を実行し，前記情報処理装置側制御部は，前記確認を要求する旨のコマンドを受け付けた場合に，関連付けの設定を許可するか否かの問い合わせを行う問合処理と，前記問合処理にて関連付けの設定が許可されたことを条件として，設定変更の要求を前記ファクシミリ装置に出力する変更出力処理とを実行し，前記ファクシミリ装置側制御部は，前記記憶処理では，前記設定指示が入力された後，前記設定変更の要求を受け付けた場合に，前記情報処理装置と前記ファクシミリ装置とを関連付ける関連情報を，前記ファクシミリ装置側記憶部に記憶するとよい。関連情報を記憶する前に，情報処理装置側で関連付けの設定についての確認を取ることで，ユーザの意図しない変更を防止できる。
【００１５】
また，前記ファクシミリ装置側制御部は，前記確認処理では，前記ファクシミリ装置側記憶部に前記設定指示を入力した情報処理装置との関連情報が記憶されているか否かを判断し，当該関連情報が記憶されている場合には，確認が不要である旨のコマンドを前記設定指示を入力した情報処理装置に出力し，当該関連情報が記憶されていない場合に，前記確認を要求する旨のコマンドを前記設定指示を入力した情報処理装置に出力し，前記情報処理装置側制御部は，前記変更出力処理では，前記問合処理にて関連付けの設定が許可されたことを条件として前記設定変更の要求を出力し，前記確認が不要である旨のコマンドを受け付けた場合には，前記設定変更の要求を出力しないとよい。ファクシミリ装置で既に情報処理装置との関連情報が記憶されていた場合，同じ設定についての確認は煩わしい。そのため，確認を省略する方が好ましい。
【００１６】
また，前記ファクシミリ装置側制御部は，前記設定指示が入力された際，前記記憶処理を実行する前に，特定の条件を満たす場合に，関連情報の記憶に失敗した旨のコマンドを，前記設定指示を入力した情報処理装置に出力し，前記特定の条件を満たさない場合に，関連情報の記憶に成功した旨のコマンドを，前記設定指示を入力した情報処理装置に出力し，前記情報処理装置側制御部は，前記関連情報の記憶に失敗した旨のコマンドを受け付けた場合には，関連情報の記憶に失敗した旨を報知する失敗報知処理を実行するとよい。関連情報を記憶しない方が好ましい状況もあるため，特定の条件を満たした場合には記憶処理を実行せずに，関連情報の記憶に失敗したことを情報処理装置で報知する方が好ましい。
【００１７】
また，前記ファクシミリ装置側制御部は，前記特定の条件として，前記ファクシミリ装置側記憶部に前記設定指示を入力した情報処理装置以外の装置との関連情報が記憶されていること，を含むとよい。ファクシミリ装置で既に情報処理装置以外の装置との関連情報が記憶されていた場合，新たな情報が加わることは先に関連付けられていた装置のユーザにとって好ましくない。そのため，新たな関連付け情報を記憶しない方が好ましい。
【００１８】
また，前記ファクシミリ装置側制御部は，前記特定の条件として，関連情報の記憶が制限されていること，を含むとよい。ファクシミリ装置で，関連情報の設定変更が制限されている場合，新たな関連情報が加わることはその制限機能に背くことになる。そのため，新たな関連情報を記憶しない方が好ましい。
【００１９】
また，本明細書には，記憶部と，制御部とを備え，前記制御部は，前記記憶部に記憶された，ファクシミリ装置とのファクシミリデータの受け渡しに関連するプログラムを起動した際，前記ファクシミリ装置に対して，自装置と前記ファクシミリ装置との関連付けを設定させる設定指示を出力する出力処理を実行することを特徴とする情報処理装置が開示されている。さらに，本明細書には，ファクシミリデータの転送についての関連付けの設定を要求する情報処理装置に，前記情報処理装置の記憶部に記憶された，ファクシミリ装置とのファクシミリデータの受け渡しに関連するプログラムを起動した際，前記ファクシミリ装置に対して，前記情報処理装置と前記ファクシミリ装置との関連付けを設定させる設定指示を出力する出力処理を実行させることを特徴とするプログラムが開示されている。
【００２０】
また，本明細書には，記憶部と，制御部とを備え，前記制御部は，情報処理装置から前記情報処理装置と自装置との関連付けを設定させる設定指示が入力された場合，前記情報処理装置と自装置とを関連付ける関連情報を，前記記憶部に記憶させる記憶処理を実行することを特徴とするファクシミリ装置が開示されている。ファクシミリデータの転送についての関連付けの設定の要求を受け付けるファクシミリ装置に，情報処理装置から前記情報処理装置と自装置との関連付けを設定させる設定指示が入力された場合，前記情報処理装置と前記ファクシミリ装置とを関連付ける関連情報を，前記ファクシミリ装置の記憶部に記憶させる記憶処理を実行させることを特徴とするプログラムが開示されている。
【発明の効果】
【００２１】
本発明によれば，ＦＡＸ装置と情報処理装置との両装置でＦＡＸデータの転送についての関連付けの設定が必要なデータ転送システムであって，設定の手間を軽減する技術が実現される。
【図面の簡単な説明】
【００２２】
【図１】実施の形態にかかるデータ転送システムの構成を示すブロック図である。
【図２】実施の形態にかかるデータ転送システムの動作概要を示す図である。
【図３】第１の形態においてＰＣが実行する起動処理の手順を示すフローチャートである。
【図４】第１の形態においてＦＡＸ装置が実行する設定指示受信処理の手順を示すフローチャートである。
【図５】第１の形態においてＰＣが実行する自動設定処理の手順を示すフローチャートである。
【図６】ＰＣが表示する手動設定画面の構成を示す図である。
【図７】ＰＣが表示する変更確認画面の構成を示す図である。
【図８】第１の形態においてＦＡＸ装置が実行する変更要求受信処理の手順を示すフローチャートである。
【図９】ＰＣが表示する接続不可画面の構成を示す図である。
【図１０】ＰＣが表示する転送元変更画面の構成を示す図である。
【図１１】第２の形態においてＰＣが実行する設定指示受信処理の手順を示すフローチャートである。
【図１２】第２の形態においてＰＣが実行する自動設定処理の手順を示すフローチャートである。
【発明を実施するための形態】
【００２３】
以下，本実施形態にかかるデータ転送システムについて，添付図面を参照しつつ詳細に説明する。本形態は，ＦＡＸ装置とＰＣとを少なくとも１台ずつ有するデータ転送システムに本発明を適用したものである。
【００２４】
本形態のデータ転送システム９００は，図１に示すように，ＰＣ１００と，ＦＡＸ装置２００とを備えている。ＰＣ１００は，情報処理装置の一例である。情報処理装置およびＦＡＸ装置は，少なくとも１台あればよく，複数台あってもよい。データ転送システム９００では，ＦＡＸ装置がＦＡＸデータを受信した場合，転送先として設定されている情報処理装置にＦＡＸデータを転送する。本形態では，ＦＡＸ装置２００がＦＡＸデータを受信した場合に，そのＦＡＸデータをＰＣ１００に転送するものとする。
【００２５】
続いて，ＰＣ１００の概略構成について説明する。ＰＣ１００は，図１に示したように，ＣＰＵ５１と，ＲＯＭ５２と，ＲＡＭ５３と，ＨＤＤ５４とを有するコントローラ５０を備えている。また，ＰＣ１００は，表示部４０と，入力部４１と，外部装置との通信を可能にするネットワークインターフェース５７およびＵＳＢインターフェース５９とを有し，これらがＣＰＵ５１によって制御される。なお，図１中のコントローラ５０は，ＣＰＵ５１等，ＰＣ１００の制御に利用されるハードウェアを纏めた総称であって，実際にＰＣ１００に存在する単一のハードウェアと表すとは限らない。
【００２６】
ＨＤＤ５４には，ＯＳ，インターネット上のデータを閲覧するためのブラウザ，各種のデバイスを制御するデバイスドライバ等が組み込まれている。また，ＨＤＤ５４には，ＦＡＸデータの受信に必要なアプリケーションプログラムや，転送元となるＦＡＸ装置との関連付けを示す情報が記憶される。ＨＤＤ５４は，情報処理装置側記憶部の一例である。
【００２７】
ＣＰＵ５１は，ＲＯＭ５２から読み出した制御プログラムやＨＤＤ５４から読み出したプログラムに従って，その演算結果をＲＡＭ５３またはＨＤＤ５４に記憶させながら各種の処理を行う。ＣＰＵ５１は，情報処理装置側制御部の一例である。なお，コントローラ５０が情報処理装置側制御部であってもよい。
【００２８】
ネットワークインターフェース５７は，ＬＡＮケーブルや無線通信を介して接続された装置と通信を行うためのハードウェアである。ＵＳＢインターフェース５９は，ＵＳＢケーブルを介して接続された装置と通信を行うためのハードウェアである。ＰＣ１００はネットワークインターフェース５７やＵＳＢインターフェース５９を介して，例えば，ＦＡＸ装置２００に対してＦＡＸデータやコマンドの送受信を行うことができる。
【００２９】
続いて，ＦＡＸ装置２００の概略構成について説明する。ＦＡＸ装置２００は，図１に示したように，ＣＰＵ３１と，ＲＯＭ３２と，ＲＡＭ３３と，ＮＶＲＡＭ（Non Volatile RAM）３４とを有するコントローラ３０を備えている。また，ＦＡＸ装置２００は，用紙に画像を印刷する画像形成部１０と，原稿の画像を読み取る画像読取部１１と，動作状況の表示やユーザによる入力操作の受付を行う操作パネル１３と，ネットワークインターフェース３７と，ＦＡＸインターフェース３８と，ＵＳＢインターフェース３９とを有し，これらがＣＰＵ３１によって制御される。なお，図１中のコントローラ３０は，ＣＰＵ３１等，ＦＡＸ装置２００の制御に利用されるハードウェアを纏めた総称であって，実際にＦＡＸ装置２００に存在する単一のハードウェアと表すとは限らない。
【００３０】
画像形成部１０は，カラー印刷が可能であってもモノクロ印刷のみが可能であってもよい。本形態では，カラー印刷が可能なものとする。また，印刷方式についても，電子写真方式であってもインクジェット方式であってもよい。また，画像読取部１１は，カラースキャンが可能であってもモノクロスキャンのみが可能であってもよい。本形態では，カラースキャンが可能なものとする。また，読取機構についても，ＣＣＤであってもＣＩＳであってもよい。
【００３１】
ＲＯＭ３２には，ＦＡＸ装置２００を制御するための制御プログラムであるファームウェアや各種設定，初期値等が記憶されている。また，ＮＶＲＡＭ３４には，ＦＡＸデータの転送先となる情報処理装置との関連付けを示す情報が記憶される。ＮＶＲＡＭ３４は，ＦＡＸ装置側記憶部の一例である。ＲＡＭ３３およびＮＶＲＡＭ３４は，各種制御プログラムが読み出される作業領域として，あるいはデータを一時的に記憶する記憶領域として利用される。
【００３２】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＦＡＸ装置２００の各構成要素を制御する。ＣＰＵ３１はＦＡＸ装置側制御部の一例である。なお，コントローラ３０がＦＡＸ装置側制御部であってもよい。
【００３３】
ネットワークインターフェース３７は，ＬＡＮケーブルや無線通信を介して接続された装置と通信を行うためのハードウェアである。ＵＳＢインターフェース３９は，ＵＳＢケーブルを介して接続された装置と通信を行うためのハードウェアである。ＦＡＸ装置２００はネットワークインターフェース３７やＵＳＢインターフェース３９を介して，例えば，ＰＣ１００に対してＦＡＸデータやコマンドの送受信を行うことができる。
【００３４】
ＦＡＸインターフェース３８は，電話回線を介して接続された装置と通信を行うためのハードウェアである。ＦＡＸ装置２００はＦＡＸインターフェース３８を介して，他のＦＡＸ装置に対してＦＡＸデータの送受信を行うことができる。
【００３５】
操作パネル１３は，ＦＡＸ装置２００の外装に設けられ，ユーザ入力を受け付ける各種のボタンと，メッセージや設定内容を表示するタッチパネルとを有している。各種のボタンとしては，例えば，印刷開始指示を入力するＯＫボタンや，印刷のキャンセル指示を入力するキャンセルボタンがある。
【００３６】
続いて，ＦＡＸ装置２００がＦＡＸデータを受信した際の，データ転送システム９００の動作について，図２を参照しつつ説明する。なお，ＦＡＸ装置２００には，転送先となる情報処理装置との関連付けを示す情報として，転送先情報３４１がＮＶＲＡＭ３４に記憶されているものとする。また，ＰＣ１００には，転送元となるＦＡＸ装置との関連付けを示す情報として，転送元情報５４１がＨＤＤ５４に記憶されているものとする。
【００３７】
具体的に，ＦＡＸ装置２００には，転送先情報３４１として，転送先の宛先となるＰＣ１００のＩＰアドレスが記憶される。さらには，転送機能を有効とするか否かの設定が記憶されている。この他，例えば，データ転送を実行する転送時間や，電話番号に応じて転送を拒否する設定が記憶されていてもよい。ＦＡＸ装置２００は，転送先が未設定の場合，あるいは転送機能を無効とする設定が記憶されている場合には，ＦＡＸデータの転送を行わない。また，ＦＡＸ装置２００は，転送先の台数を制限しており，制限台数の範囲内で転送先の装置が設定される。本形態では，制限台数を１台とする。ＦＡＸ装置２００は，転送先情報３４１を不揮発性の記憶領域に記憶するため，ＦＡＸ装置２００の電源がオフされても情報を維持できる。
【００３８】
一方，ＰＣ１００には，転送元情報５４１として，転送元の宛先となるＦＡＸ装置２００のＩＰアドレスが記憶される。この他，例えば，電話番号に応じて転送を拒否する設定が記憶されていてもよい。また，ＰＣ１００は，転送元の台数を制限しており，制限台数の範囲内で転送元の装置が設定される。本形態では，制限台数を１台とする。なお，ＰＣ１００は，転送されたＦＡＸデータをＲＡＭ５３に記憶した後，ＨＤＤ５４や外部ストレージに保存してもよい。
【００３９】
また，ＰＣ１００には，ＦＡＸデータの受信に必要なプログラムとして，ＦＡＸデータの受信を管理し，さらに受信の通知，受信したＦＡＸデータの表示を行うアプリケーションプログラム（以下，「ＰＣ−ＦＡＸ受信アプリ」とする）５４２がインストールされている。ＰＣ−ＦＡＸ受信アプリ５４２は，ＰＣ１００で常駐動作し，ＦＡＸ装置２００から送信されるＦＡＸデータを受信する。そして，ＰＣ−ＦＡＸ受信アプリ５４２は，ＦＡＸデータの受信の報知や，ＦＡＸデータの表示を行う。また，ＰＣ−ＦＡＸ受信アプリ５４２は，転送元情報５４１を参照し，定期的に転送元のＦＡＸ装置２００の状態を取得し，ＦＡＸ装置２００に異常が発生している場合には，その旨を報知する。
【００４０】
本形態のデータ転送システム９００では，先ず，ＦＡＸ装置２００が，ＦＡＸ装置２０１から送信されたＦＡＸデータを受信し，ＲＡＭ３３に記憶する（図２中の（１））。そして，ＦＡＸ装置２００は，転送先情報３４１に従って，転送先となるＰＣ１００でＰＣ−ＦＡＸ受信アプリ５４２が動作中であるか否かをＡＴコマンド等を利用して確認する。そして，ＦＡＸ装置２００は，ＰＣ−ＦＡＸ受信アプリ５４２が動作中であることを確認した場合に，その受信したＦＡＸデータの転送を開始する（図２中の（２））。換言すれば，ＦＡＸ装置２００は，ＰＣ−ＦＡＸ受信アプリ５４２が動作中でなければ，ＦＡＸデータを転送しない。
【００４１】
ＦＡＸデータの転送に成功した後は，ＦＡＸ装置２００はそのＦＡＸデータを印刷せず，ＲＡＭ３３からも消去する。一方，ＦＡＸデータの転送に失敗した場合には，ＦＡＸ装置２００はそのＦＡＸデータを印刷してもよいし，ＮＶＲＡＭ３４や外部サーバに保存してもよい。
【００４２】
ＰＣ１００は，動作中のＰＣ−ＦＡＸ受信アプリ５４２によって，ＦＡＸ装置２００から送信されたＦＡＸデータを受信すると，受信したＦＡＸデータをＲＡＭ５３に一時的に記憶する（図２中の（３））。さらに，ＰＣ−ＦＡＸ受信アプリ５４２によって，ＦＡＸデータを受信した旨のメッセージを表示部４０に表示させる。また，ＰＣ−ＦＡＸ受信アプリ５４２によって，ＦＡＸデータに基づく画像を表示部４０に表示させてもよい。また，ＦＡＸデータを所定のファイル形式に変換して所定の保存先に記憶してもよい。
【００４３】
続いて，転送先情報３４１の設定の自動化について説明する。前述したように，ＦＡＸ装置２００からＰＣ１００へのＦＡＸデータの転送には，あらかじめ両装置ともに，両装置を関連付ける設定がなされている必要がある。このうち，ＰＣ１００に記憶される転送元情報５４１については，例えば，ＰＣ−ＦＡＸ受信アプリ５４２のインストール時にユーザによって設定される。また，インストール後に，ＰＣ−ＦＡＸ受信アプリ５４２を介して設定されてもよい。一方，ＦＡＸ装置２００の転送先情報３４１についても設定作業が必要であるが，ＰＣ１００のユーザがＦＡＸ装置２００の設定作業も実施するとなると手間である。また，ＰＣ１００のユーザがＦＡＸ装置２００の設定作業を忘れることもある。
【００４４】
そこで，転送先情報３４１の設定の自動化手順について，第１の形態と第２の形態との２つの実施形態を説明する。なお，各形態とも，ＰＣ１００の処理とＦＡＸ装置２００の処理とに分けて説明する。
【００４５】
始めに，ＰＣ１００にて実行される起動処理について，図３のフローチャートを参照しつつ説明する。この起動処理は，ＰＣ−ＦＡＸ受信アプリ５４２の実行が指示されたこと，すなわちＰＣ−ＦＡＸ受信アプリ５４２が起動されたことを契機に，ＣＰＵ５１によって実行される。
【００４６】
第１の形態の起動処理では，先ず，転送元情報５４１を参照し，転送元として設定されているＦＡＸ装置の情報を取得する（Ｓ１０１）。転送元のＦＡＸ装置の設定は，前述したように，例えば，ＰＣ−ＦＡＸ受信アプリ５４２のインストール時にユーザによって設定される。なお，インストール時に設定されなかった等，転送元が未設定の場合には，Ｓ１０１でユーザに転送元となるＦＡＸ装置の情報を入力させてもよい。以下の説明では，転送元としてＦＡＸ装置２００が設定されているものとする。
【００４７】
次に，Ｓ１０１で取得した情報に基づいて，転送元となるＦＡＸ装置２００に対して，転送先情報３４１の設定指示を出力する（Ｓ１０２）。設定指示には，転送先情報３４１として必要な情報が付加される。Ｓ１０２は出力処理の一例である。その後，ＦＡＸ装置２００からの返答があったか否か（Ｓ１０３），さらにはタイムアウトとなったか否か（Ｓ１０４）を判断する。返答が無く（Ｓ１０３：ＮＯ），さらにタイムアウトとなっていない場合（Ｓ１０４：ＮＯ）には，いずれか一方の条件を満たすまで待機する。
【００４８】
ここで，Ｓ１０２の設定指示が入力されたＦＡＸ装置２００にて実行される設定指示受信処理について，図４のフローチャートを参照しつつ説明する。設定指示受信処理は，設定指示を受信したことを契機に，ＣＰＵ３１によって実行される。
【００４９】
第１の形態の設定指示受信処理では，先ず，設定指示に対応可能な機種であるか否かを判断する（Ｓ２０１）。対応可能な機種でなければ（Ｓ２０１：ＮＯ），自動設定機能に非対応であることを示す非対応コマンドを，設定指示の送信元であるＰＣ１００に出力する（Ｓ２１１）。Ｓ２１１は，非対応処理の一例である。
【００５０】
対応可能な機種であれば（Ｓ２０１：ＹＥＳ），転送先情報３４１が設定済みであるか否かを判断する（Ｓ２０２）。転送先情報３４１が設定済みでなければ（Ｓ２０２：ＮＯ），設定変更を確認を促すことを示す確認コマンドを，設定指示の送信元であるＰＣ１００に出力する（Ｓ２２１）。Ｓ２２１は，確認処理の一例である。
【００５１】
一方，転送先情報３４１が設定済みであれば（Ｓ２０２：ＹＥＳ），設定されている装置と設定指示を出力した装置とが同じであるか否かを判断する（Ｓ２０３）。設定と指示元とが同じであれば（Ｓ２０３：ＹＥＳ），設定を変更する必要がないことから，設定変更の確認が不要であることを示す非表示コマンドを，設定指示の送信元であるＰＣ１００に出力する（Ｓ２０４）。設定と指示元とが異なる場合は（Ｓ２０３：ＮＯ），Ｓ２２１に移行して確認コマンドを出力する。Ｓ２０４，Ｓ２１１，あるいはＳ２２１の後は，設定指示受信処理を終了する。
【００５２】
図３のＰＣ１００の起動処理の説明に戻り，前述した設定指示受信処理に基づいてＦＡＸ装置２００から返答があった場合には（Ｓ１０３：ＹＥＳ），ＦＡＸ装置２００に転送先情報３４１の自動設定を要求する自動設定処理を実行する（Ｓ１３１）。
【００５３】
ここで，Ｓ１３１の自動設定処理の詳細手順を，図５のフローチャートを参照しつつ説明する。自動設定処理では，先ず，ＦＡＸ装置２００からの返答が非表示コマンドか否かを判断する（Ｓ１５１）。非表示コマンドの場合には（Ｓ１５１：ＹＥＳ），ＦＡＸ装置２００にて既にＰＣ１００が転送先になっているため，設定変更を要求することなく，自動設定処理を終了し，さらに図３に戻って起動処理を終了する。
【００５４】
非表示コマンドでなければ（Ｓ１５１：ＮＯ），ＦＡＸ装置２００からの返答が非対応コマンドか否かを判断する（Ｓ１６１）。非対応コマンドの場合には（Ｓ１６１：ＹＥＳ），ＦＡＸ装置２００での転送先情報３４１の自動設定が不可能であることから，図６に示すような，ＦＡＸ装置２００が非対応機種である旨およびユーザによる手動設定が必要である旨を報知する手動設定画面４０１を表示部４０に表示させる（Ｓ１６２）。これにより，ＰＣ１００のユーザが，ＦＡＸ装置２００での設定作業が必要であることを把握できる。Ｓ１６２は，非対応報知処理の一例である。Ｓ１６２の後は，自動設定処理を終了し，さらに図３に戻って起動処理を終了する。
【００５５】
非対応コマンドでもなければ（Ｓ１６１：ＮＯ），ＦＡＸ装置２００からの返答が確認コマンドと判断できる。そこで，図７に示すような，ＦＡＸ装置２００の転送先情報３４１の変更を許可するか否かを問い合わせる確認画面４０２を表示部４０に表示させる（Ｓ１７１）。転送先情報３４１を自動設定する前にユーザに設定可否の確認を取ることで，ユーザの意図しない変更が抑制される。Ｓ１７１は，問合処理の一例である。
【００５６】
Ｓ１７１の後は，転送先情報３４１の変更がユーザによって許可されたか否かを判断する（Ｓ１７２）。転送先情報３４１の変更が許可されなかった場合には（Ｓ１７２：ＮＯ），ＰＣ−ＦＡＸ受信アプリ５４２を終了させ（Ｓ１７３），さらに自動設定処理および起動処理を終了する。一方，転送先情報３４１の変更が許可された場合には（Ｓ１７２：ＹＥＳ），ＦＡＸ装置２００に対して転送先情報３４１の変更要求を出力する（Ｓ１８１）。Ｓ１８１は，変更出力処理の一例である。
【００５７】
ここで，Ｓ１８１の変更要求が入力されたＦＡＸ装置２００にて実行される変更要求受信処理について，図８のフローチャートを参照しつつ説明する。変更要求受信処理は，変更要求を受信したことを契機に，ＣＰＵ３１によって実行される。
【００５８】
第１の形態の変更要求受信処理では，先ず，転送先情報３４１が設定済みであるか否かを判断する（Ｓ２５１）。転送先情報３４１が設定済みでなければ（Ｓ２５１：ＮＯ），設定変更の制限条件を満たすか否かを判断する（Ｓ２５２）。設定変更の制限条件としては，例えば，転送機能が無効に設定されていることや，転送先情報３４１の変更禁止が設定されていることが該当する。設定変更の制限条件を満たす場合には（Ｓ２５２：ＹＥＳ），自動設定に失敗したことを示す失敗コマンドを，変更要求の送信元であるＰＣ１００に出力する（Ｓ２６２）。
【００５９】
設定変更の制限条件を満たさない場合には（Ｓ２５２：ＮＯ），転送先情報３４１に設定指示の送信元であるＰＣ１００の情報を記憶する（Ｓ２５３）。これにより，転送先情報３４１として，ＰＣ１００の情報が自動的に設定される。Ｓ２５３は，記憶処理の一例である。Ｓ２５３の後は，自動設定に成功したことを示す成功コマンドを，変更要求の送信元であるＰＣ１００に出力する（Ｓ２５４）。
【００６０】
一方，転送先情報３４１が設定済みであれば（Ｓ２５１：ＹＥＳ），設定されている転送先の装置と設定指示を出力した装置とが同じであるか否かを判断する（Ｓ２６１）。設定と指示元とが同じであれば（Ｓ２６１：ＹＥＳ），設定を変更する必要がないことから，転送先情報３４１の変更を省略し，成功コマンドをＰＣ１００に出力する（Ｓ２５４）。設定と指示元とが異なる場合には（Ｓ２６１：ＮＯ），既存の設定を優先し，転送先情報３４１を変更せず，失敗コマンドをＰＣ１００に出力する（Ｓ２６２）。Ｓ２５４あるいはＳ２６２の後は，変更要求受信処理を終了する。
【００６１】
図５のＰＣ１００の自動設定処理の説明に戻り，Ｓ１８１の後，前述した変更要求受信処理に基づいてＦＡＸ装置２００から成功コマンドを受信したか否かを判断する（Ｓ１８２）。
【００６２】
成功コマンドを受信した場合には（Ｓ１８２：ＹＥＳ），ＦＡＸ装置２００での転送先情報の自動設定に成功した旨を表示部４０に報知させる（Ｓ１８３）。Ｓ１８３の後は，自動設定処理および起動処理を終了する。一方，成功コマンドを受信しなかった場合，すなわち失敗コマンドを受信した場合には（Ｓ１８２：ＮＯ），ＦＡＸ装置２００での転送先情報の自動設定に失敗した旨を表示部４０に報知させる（Ｓ１９１）。Ｓ１９１の後は，ＰＣ−ＦＡＸ受信アプリ５４２を終了させ（Ｓ１９２），さらに自動設定処理および起動処理を終了する。
【００６３】
図３のＰＣ１００の起動処理の説明に戻り，Ｓ１０２にて転送先情報３４１の設定指示を出力した後，タイムアウトした場合には（Ｓ１０４：ＹＥＳ），図９に示すように，転送元のＦＡＸ装置に接続できなかった旨を報知する接続不可画面４０３を表示部４０に表示させる（Ｓ１１１）。接続不可画面４０３では，転送元の変更を行うか否かを問い合わせる。本形態の接続不可画面４０３では，変更ボタン４３１が押下されることで，転送元の変更が指示され，終了ボタン４３２が押下されることで，ＰＣ−ＦＡＸ受信アプリ５４２の終了が指示される。
【００６４】
Ｓ１１１の後，転送元の変更が指示されたか否かを判断する（Ｓ１１２）。転送元の変更が指示された場合には（Ｓ１１２：ＹＥＳ），図１０に示すように，転送元のＦＡＸ装置を設定する転送元変更画面４０４を表示部４０に表示させる（Ｓ１１３）。本形態の転送元変更画面４０４では，転送元のＦＡＸ装置の指定方法として，ＩＰアドレスでの指定と，ノード名での指定とが可能である。ノード名による指定の場合には，参照ボタン４４１が押下されることで，ＰＣ１００が転送元の候補となるＦＡＸ装置を検索し，検索されたＦＡＸ装置の中から転送元となるＦＡＸ装置をユーザに選択させる。Ｓ１１３は，送信先入力処理の一例である。
【００６５】
転送元変更画面４０４によって新しい転送元のＦＡＸ装置が設定された後は，その新しい転送元のＦＡＸ装置に対して転送先情報３４１の設定指示を再度出力する（Ｓ１１４）。Ｓ１１４の後は，Ｓ１０３に移行し，設定指示の返答あるいはタイムアウトまで待機する。
【００６６】
一方，転送元の変更が指示されていない，すなわちＰＣ−ＦＡＸ受信アプリ５４２の終了が指示された場合には（Ｓ１１２：ＮＯ），ＰＣ−ＦＡＸ受信アプリ５４２を終了させ（Ｓ１２１），さらに起動処理を終了する。
【００６７】
なお，ＰＣ−ＦＡＸ受信アプリ５４２を終了しないまま起動処理を終了した場合，ＰＣ−ＦＡＸ受信アプリ５４２は，実行状態を維持したまま常駐することになる。これにより，その後のＦＡＸ装置２００からのＦＡＸデータの受信が可能になる。
【００６８】
また，Ｓ１８１にてＦＡＸ装置２００に対して転送先情報３４１の変更要求を出力した後，返答を受信することなくタイムアウトした場合には，自動処理を終了し，起動処理に戻ってＳ１１１以降の処理と同様の処理を行うとよい。
【００６９】
以上詳細に説明したように第１の形態の動作では，ＰＣ１００でのＰＣ−ＦＡＸ受信アプリ５４２の起動を契機として，ＰＣ１００からＦＡＸ装置２００に対して両装置を関連付けるための転送先情報３４１の設定指示が出力され，これに応じてＦＡＸ装置２００にて両装置を関連付ける情報が記憶される。従って，転送元であるＦＡＸ装置２００と転送先であるＰＣ１００との関連付けが自動的に完了するため，ＦＡＸ装置２００でのユーザによる設定の手間が軽減される。
【００７０】
続いて，前述したデータ転送システム９００の動作の別形態について説明する。第２の形態では，ＦＡＸ装置２００は，設定指示に基づいて，ＰＣ１００に対して確認を行うことなく速やかに転送先情報３４１を変更する。この点，ＰＣ１００に対して設定変更の確認を行う第１の形態と異なる。以下，第１の形態と異なる部分を中心に説明する。
【００７１】
第２の形態では，ＰＣ−ＦＡＸ受信アプリ５４２の起動を契機として，ＰＣ１００にて起動処理が実行され，ＰＣ１００からＦＡＸ装置２００に対して設定指示が出力されるまでは，第１の形態と同じである。そして，ＦＡＸ装置２００での設定指示受信処理が第１の形態と異なる。そこで，第２の形態における設定指示受信処理について，図１１を参照しつつ説明する。なお，図１１中，第１の形態と同じ処理については同じ符号を付している。
【００７２】
第２の形態における設定指示受信処理では，先ず，設定指示に対応可能な機種であるか否かを判断する（Ｓ２０１）。対応可能な機種でなければ（Ｓ２０１：ＮＯ），非対応コマンドを出力する（Ｓ２１１）。
【００７３】
対応可能な機種であれば（Ｓ２０１：ＹＥＳ），転送先情報３４１が設定済みであるか否かを判断する（Ｓ２５１）。転送先情報３４１が設定済みでなければ（Ｓ２５１：ＮＯ），設定変更の制限条件を満たすか否かを判断する（Ｓ２５２）。設定変更の制限条件を満たす場合には（Ｓ２５２：ＹＥＳ），失敗コマンドをＰＣ１００に出力する（Ｓ２６２）。
【００７４】
設定変更の制限条件を満たさない場合には（Ｓ２５２：ＮＯ），転送先情報３４１にＰＣ１００の情報を記憶する（Ｓ２５３）。これにより，ＦＡＸ装置２００の転送先情報３４１に，ＰＣ１００の情報が自動的に設定される。Ｓ２５３の後は，成功コマンドをＰＣ１００に出力する（Ｓ２５４）。
【００７５】
一方，転送先情報３４１が設定済みであれば（Ｓ２５１：ＹＥＳ），設定されている装置と設定指示を出力した装置とが同じであるか否かを判断する（Ｓ２６１）。設定と指示元とが同じであれば（Ｓ２６１：ＹＥＳ），転送先情報３４１の変更を省略し，成功コマンドをＰＣ１００に出力する（Ｓ２５４）。設定と指示元とが異なる場合には（Ｓ２６１：ＮＯ），転送先情報３４１を変更せず，失敗コマンドをＰＣ１００に出力する（Ｓ２６２）。Ｓ２５４あるいはＳ２６２の後は，設定指示受信処理を終了する。
【００７６】
また，第２の形態では，設定指示の返答に対応するＰＣ１００での自動設定処理が第１の形態と異なる。そこで，第２の形態における自動設定処理について，図１２を参照しつつ説明する。なお，図１２中，第１の形態と同じ処理については同じ符号を付している。
【００７７】
第２の形態における自動設定処理では，先ず，ＦＡＸ装置２００からの返答が非対応コマンドか否かを判断する（Ｓ１６１）。非対応コマンドの場合には（Ｓ１６１：ＹＥＳ），手動設定画面４０１を表示部４０に表示させる（Ｓ１６２）。Ｓ１６２の後は，自動設定処理を終了する。
【００７８】
非対応コマンドでなければ（Ｓ１６１：ＮＯ），成功コマンドを受信したか否かを判断する（Ｓ１８２）。成功コマンドを受信した場合には（Ｓ１８２：ＹＥＳ），自動設定に成功した旨の報知が済んでいるか否かを判断する（Ｓ３８２）。報知が済んでいない場合には（Ｓ３８２：ＮＯ），ＦＡＸ装置２００での転送先情報３４１の自動設定に成功した旨を表示部４０に報知させる（Ｓ１８３）。そして，報知した旨をＨＤＤ５４に記憶する（Ｓ３８３）。Ｓ３８３の後は，自動設定処理を終了する。また，報知が済んでいる場合には（Ｓ３８２：ＹＥＳ），繰り返しの報知を回避するため，何も報知せずに自動設定処理を終了する。
【００７９】
一方，成功コマンドを受信しなかった場合，すなわち失敗コマンドを受信した場合には（Ｓ１８２：ＮＯ），ＦＡＸ装置２００での転送先情報３４１の自動設定に失敗した旨を表示部４０に報知させる（Ｓ１９１）。Ｓ１９１の後は，ＰＣ−ＦＡＸ受信アプリ５４２を終了させ（Ｓ１９２），さらに自動設定処理を終了する。
【００８０】
なお，第２の形態では，成功を報知したことを記憶することで，繰り返しの報知を回避しているが，第１の形態と同様に，ＦＡＸ装置２００の設定指示受信にて，設定と指示元とが同じであった場合に（Ｓ２６１：ＹＥＳ），非表示コマンドを出力し，ＰＣ１００の自動設定処理にて，非表示コマンドを受信したか否かを判断し，非表示コマンドを受信した場合には，何も報知することなく自動設定処理を終了する，としてもよい。
【００８１】
以上詳細に説明したように第２の形態の動作でも，ＰＣ１００でのＰＣ−ＦＡＸ受信アプリ５４２の起動を契機として，ＦＡＸ装置２００にて両装置を関連付ける情報が記憶され，転送元であるＦＡＸ装置２００と転送先であるＰＣ１００との関連付けが自動的に完了する。そのため，ＦＡＸ装置２００でのユーザによる設定の手間が軽減される。また，第２の形態では，設定変更についてユーザによる確認を行わないため，ユーザの手間がより少なく，起動処理を早期に完了できる。一方，第１の形態では，設定変更についてユーザによる確認を行うため，ユーザの意図しない変更を防止できる。
【００８２】
なお，本実施の形態は単なる例示にすぎず，本発明を何ら限定するものではない。したがって本発明は当然に，その要旨を逸脱しない範囲内で種々の改良，変形が可能である。例えば，ＦＡＸデータを転送するＦＡＸ装置２００は，ＦＡＸ受信および転送機能を備えるものであればよく，ＦＡＸ装置の他，複合機（ＭＦＰ：Multi Function Peripheral）であってもよい。また，ＦＡＸデータを受信する情報処理装置は，ＦＡＸデータの保存とＰＣ−ＦＡＸ受信アプリ５４２を実行可能であればよく，ＰＣ１００の他，スマートフォンや大型コンピュータであってもよい。
【００８３】
また，実施の形態では，ＦＡＸ装置２００の設定自動変更の非対応の報知（Ｓ１６２）や，設定変更の成功の報知（Ｓ１８３）や，設定変更の失敗の報知（Ｓ１９１）を，表示部４０にメッセージ表示することで実現しているが，報知方法はこれに限るものではない。例えば，音声ガイダンスを再生してもよい。
【００８４】
また，実施の形態では，ネットワークインターフェースを介してＦＡＸデータの送受信を行っているが，ＦＡＸデータの送受信はＵＳＢインターフェースを介して行ってもよい。
【００８５】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８６】
１００  ＰＣ
２００  ＦＡＸ装置
５４２  ＰＣ−ＦＡＸ受信アプリ
９００  データ転送システム
【図１】
2015106869.tif 000003
【図２】
2015106869.tif 000004
【図３】
2015106869.tif 000005
【図４】
2015106869.tif 000006
【図５】
2015106869.tif 000007
【図６】
2015106869.tif 000008
【図７】
2015106869.tif 000009
【図８】
2015106869.tif 000010
【図９】
2015106869.tif 000011
【図１０】
2015106869.tif 000012
【図１１】
2015106869.tif 000013
【図１２】
2015106869.tif 000014